(57)【特許請求の範囲】
【請求項１】
幅方向両端側に互いに対向する一対の縦バーを有するフレームと、
前記一対の縦バー間に該縦バーと直角に並列配置され、両端がそれぞれ縦バーに接続された引張応力を有する湾曲可能な複数の背上げ部材と、
前記背上げ部材の引張応力を調節する引張応力調節手段と、
前記背上げ部材の背面側に設置され、背上げ部材を背面から支持する四角格子状の受けボトムと
を具備し、
ベッド使用者（患者）がベッドを水平にして使用するときは、受けボトムが水平な背ボトムの背上げ部材を下から支持し、背ボトムを電動操作する背上げ動作においては、背ボトムが傾斜角度１０度、２０度、３０度と背上げ動作が進行するとき、患者の上半身の体重によって背上げ部材が伸び、背上げ部材が背ボトムの背面側に膨らみ出ることにより、受けボトムが背上げ部材に押され、背ボトムの傾斜角度がさらに大きくなると、患者の上半身は座る体位となって、背上げ部材に加わる体荷重が減り、背上げ部材の膨らみを受けボトムが減少させることを特徴とするベッド用背ボトム。
【請求項２】
前記背上げ部材は、湾曲可能な帯状体の両端に引張応力を有する弾性体が取り付けられたものであり、前記引張応力調節手段は、前記弾性体による前記帯状体の引張強度を調節するものであることを特徴とする請求項１に記載のベッド用背ボトム。
【請求項３】
前記受けボトムによる背上げ部材の支持力を調節する支持力調節手段が設けられていることを特徴とする請求項１または２に記載のベッド用背ボトム。
【請求項４】
請求項１〜３のいずれか１項に記載のベッド用背ボトムを具備することを特徴とするベッド。
【発明の詳細な説明】
【技術分野】
【０００１】
本発明は、介護支援ベッド等に使用される起伏可能な背ボトムに関する。
【背景技術】
【０００２】
要介護者（以下、患者という）の介護に適したベッドとして、背ボトム、尻ボトム、膝ボトムおよび脚ボトムを備え、各ボトムが電動機構により動作することによって、患者の背上げ動作、脚上げ動作などを行う介護支援ベッドがある。上述した介護支援ベッドの背ボトムとしては、従来、スチールやプラスチックからなる硬質のパネルを備え、背上げ動作時には上記パネルがその尻ボトム側の端部を支点として回動するものが一般に使用されている。この介護支援ベッドは、回動する背ボトムによって患者の背中に背上げ圧迫力を加えることにより、患者の上体を起こすものである。この場合、背ボトムの回動と同時に背ボトムを斜め上に移動させたり、尻ボトムを下方に下げたりすることにより、背上げ動作時に患者に加わる背上げ圧迫力を軽減する構造の介護支援ベッドもある（例えば、特許文献１参照）。
【０００３】
【特許文献１】特開平７−１６２６３号公報
【発明の開示】
【発明が解決しようとする課題】
【０００４】
前述した従来の背ボトムは、硬質のパネルによって患者に背上げ圧迫力を加えるため、患者に加える背上げ圧迫力を調節することができず、そのため患者の体格に応じて患者に適切な背上げ圧迫力を加えることができなかった。
【０００５】
本発明は、上述した事情に鑑みてなされたもので、患者に加える背上げ圧迫力を調節することができ、したがって患者の体格に応じて適切な背上げ圧迫力を加えることにより、患者の腰部、背中部、肩部、頭部などに加わる圧迫力を緩和することができる背ボトムおよびそれを用いたベッドを提供することを目的とする。
【課題を解決するための手段】
【０００６】
本発明は、上記目的を達成するため、下記（１）〜（３）に示すベッド用背ボトムおよびそれを使用したベッドを提供する。
（１）幅方向両端側に互いに対向する一対の縦バーを有するフレームと、
前記一対の縦バー間に該縦バーと直角に並列配置され、両端がそれぞれ縦バーに接続された引張応力を有する湾曲可能な複数の背上げ部材と、
前記背上げ部材の引張応力を調節する引張応力調節手段と、
前記背上げ部材の背面側に設置され、背上げ部材を背面から支持する四角格子状の受けボトムと
を具備し、
ベッド使用者（患者）がベッドを水平にして使用するときは、受けボトムが水平な背ボトムの背上げ部材を下から支持し、背ボトムを電動操作する背上げ動作においては、背ボトムが傾斜角度１０度、２０度、３０度と背上げ動作が進行するとき、患者の上半身の体重によって背上げ部材が伸び、背上げ部材が背ボトムの背面側に膨らみ出ることにより、受けボトムが背上げ部材に押され、背ボトムの傾斜角度がさらに大きくなると、患者の上半身は座る体位となって、背上げ部材に加わる体荷重が減り、背上げ部材の膨らみを受けボトムが減少させることを特徴とするベッド用背ボトム。
（２）前記背上げ部材は、湾曲可能な帯状体の両端に引張応力を有する弾性体が取り付けられたものであり、前記引張応力調節手段は、前記弾性体による前記帯状体の引張強度を調節するものであることを特徴とする（１）のベッド用背ボトム。
（３）前記受けボトムによる背上げ部材の支持力を調節する支持力調節手段が設けられていることを特徴とする（１）、（２）のベッド用背ボトム。
【０００７】
本発明の背ボトムは、電動機構によりフレームを回動させ、このフレーム内に並列配置された背上げ部材によって患者に背上げ圧迫力を加えるものである。この場合、本発明の背ボトムは、引張応力調節手段によって背上げ部材の引張応力を調節することにより、患者に加わる背上げ圧迫力を調節することができる。
【発明の効果】
【０００８】
本発明によれば、背ボトムによって患者に加わる背上げ圧迫力を患者の体格に応じて調節することができる。そのため、患者が自力で背上げをして起き上がる動作と同様の電動背上げ動作により背上げをして、患者の腰、背中、肩、頭部などに加わる圧迫力を緩和することができる。
【発明を実施するための最良の形態】
【０００９】
以下、図面を参照して本発明の実施の形態について説明する。図１は本発明の一実施形態に係る介護支援ベッドを示す概略平面図、図２は同ベッドの概略側面図である。本例のベッドにおいて、１０は基台、１２は基台１０上に配置されたベッドフレームを示す。ベッドフレーム１２上には、背ボトム１４、尻ボトム１６、膝ボトム１８および脚ボトム２０が配置されている。
【００１０】
脚ボトム２０の足側端部はベッドフレーム１２に回転自在の固定具１００で固定され、脚ボトム２０の膝ボトム側端部は膝ボトム１８と屈折自在の接続具１０２で接続されている。膝ボトム１８の尻ボトム側端部はベッドフレーム１２に回転自在の固定具１００で固定されている。尻ボトム１６の背ボトム側端部はベッドフレーム１２に回転自在の固定具１００で固定されているとともに、背ボトム１４と屈折自在の接続具１０２で接続されている。
【００１１】
上記回転自在の固定具１００は、図３に示すように、複数の回転部材１１０を軸体１１２によって回転自在に連結したもので、回転部材１１０に被連結物１１３を固定するものである。上記屈折自在の接続具１０２は、図４に示すように、複数の屈折部材１１４を軸体１１６によって屈折自在に連結したもので、屈折部材１１４に被接続物１１５を固定するものである。
【００１２】
また、脚ボトム２０および膝ボトム１８には、図５に示すように、これら脚ボトム２０および膝ボトム１８を長手方向に伸縮させて固定する伸縮調節固定具１０４が設置されている。
【００１３】
さらに、脚ボトム２０の両側部にはサイドレール１８０がそれぞれ着脱可能に取り付けられ、背ボトム１４の両側部にはサイドレール１８２がそれぞれ着脱可能に取り付けられている。
【００１４】
背ボトム１４は、図６に示す構造を有する。図６において、２２はフレームを示す。このフレーム２２は、幅方向両端側に互いに対向する一対の内側縦バー２４、２６を有し、かつ、これら内側縦バー２４、２６の外方にそれぞれ外側縦バー２８、３０を有するとともに、内側縦バー２４、２６および外側縦バー２８、３０の一端部が横バー３２に固定されたものである。なお、一対の内側縦バー２４、２６は請求項１で言う縦バーである。
【００１５】
内側縦バー２４、２６間には、これら内側縦バー２４、２６と直角に複数本（本例では１２本）の背上げ部材３４が所定間隔をおいて並列に配置されている。背上げ部材３４は、湾曲可能な帯状体３６の両端に引張応力を有する弾性体３８、３８が取り付けられたものである。帯状体３６および弾性体３８には、チューブ状のカバー３９が取り付けられている。
【００１６】
帯状体３６は、湾曲可能なものであればよく、例えばプラスチック、金属、革、布、ゴム等からなる平板状や網板状のものを用いることができる。また、引張応力を有する弾性体としては、例えば引張コイルバネ、ゴム系伸縮材等を用いることができる。なお、背上げ部材は、湾曲可能でかつ引張応力を有する材質により形成してもよいが、本例のように湾曲可能な帯状体の両端に引張応力を有する弾性体を取り付けて形成することがより好ましい。
【００１７】
背上げ部材３４の両端は、複数本毎（本例では３本毎）に支持棒４０に着脱可能に取り付けられており、これにより背上げ部材３４が４つのグループ、すなわち腰部４１ａ、背中部４１ｂ、４１ｃ、肩部４１ｄに分けられている。また、内側縦バー２４、２６には、複数個（本例では計１６個）の引張強度調節具４２が互いに対向した状態で取り付けられている。この引張強度調節具４２は、図７に示すように複数の受け溝４４を有し、この受け溝４４に上記支持棒４０を挿入するもので、支持棒４０を挿入する受け溝４４を変えることにより、弾性体３８、３８による帯状体３６の引張強度を調節するものである。したがって、本例では、支持棒４０および調節具４２によって引張応力調節手段が構成されている。
【００１８】
なお、尻ボトム１６には、背ボトム１４の内側縦バー２４、２６および外側縦バー２８、３０に対応する内側縦バー５０、５２および外側縦バー５４、５６が設けられており、対応する縦バー同士がそれぞれ屈折自在の接続具１０２によって接続されている。また、図６において４５は前記サイドレール１８２を取り付ける受け具を示す。
【００１９】
背ボトム１４の背面側には、図８に示すように、背上げ部材３４を背面から支持する受けボトム２００が配設されている。受けボトム２００は、図９に示すように、金属パイプからなる四角枠体２０２内に金属メッシュ２０４を配した四角格子状のものであり、四角枠体２０２の一端側を背ボトム１４の横バー３２に２本のワイヤ２０６で吊り下げることにより、背ボトム１４に取り付けられている。
【００２０】
四角枠体２０２の他端側には１本のワイヤ２０８が固定されている。このワイヤ２０８は、ローラ２１０に引っ掛けられ、ワイヤ止め具２１２のワイヤ通り穴を通り、ワイヤ滑り止め具２１４に固定されている。ワイヤ滑り止め具２１４は、引張コイルバネ２１６を介してワイヤ固定具２１８に固定されている。また、受けボトム２００には、ワイヤ２０８の端部の固定位置を変更することによりワイヤ２０８の長さを調節するワイヤ長さ調節具２２０が設けられている。そして、後述するように、これらワイヤ２０８、ローラ２１０、ワイヤ止め具２１２、ワイヤ滑り止め具２１４、引張コイルバネ２１６、ワイヤ固定具２１８およびワイヤ長さ調節具２２０によって、受けボトム２００による背上げ部材３４の支持力を調節する支持力調節手段が構成されている。また、受けボトム２００を水平に支えるための受けボトム用支持フレーム２２２がベッドフレーム１２に固定されている。
【００２１】
次に、本例の介護支援ベッドの使用方法について説明する。まず、患者の尻部を尻ボトム１６上に位置させて患者をベッドに寝かせる。患者の膝関節部が膝ボトム１８と脚ボトム２０との屈折接続部に位置的に合うように、膝ボトム１８および脚ボトム２０の長さを調節して伸縮調節固定具１０４で固定する。また、前記各グループの背上げ部材３４が連結された各支持棒４０を、引張強度調節具４２の適宜位置の受け溝４４に挿入することにより、弾性体３８による帯状体３６の引張強度を前記各グループ毎に患者の体格に応じて調節する。なお、各受け溝４４には、引張強度の強さを示す番号、記号等を表示することができる。
【００２２】
その後、電動操作により背ボトム１４を起立させ、背上げ動作を行うものである。この場合、上述のように患者の体格に応じて弾性体３８による帯状体３６の引張強度を調節することにより、電動によって背上げ動作をするときに、自力で背上げをする体位移動状態と同様に腰部、背中部、肩部が湾曲した帯状体３６に支えられ、患者の腰部、背中部、肩部にかかる圧迫を緩和することができる。背ボトム１４の角度が５０度を超えると、背ボトム１４にかかる体荷重が減少し、弾性体３８の復元力が働き、背中の湾曲が伸びて座る体位となる。
【００２３】
また、受けボトム２００の作用を説明する。患者がベッドを水平にして使用するときは、受けボトム２００がベッドフレーム１２上にあって、水平な背ボトム１４の背上げ部材３４を下から支持している。背ボトム１４を電動操作する背上げ動作においては、背ボトム１４が屈折自在の接続具１０２を傾斜支点として傾斜角度１０度、２０度、３０度と背上げ動作が進行する。このとき、患者の上半身の体重によって弾性体３８が伸び、帯状体３６が背ボトム１４の背面側に膨らみ出る。これにより受けボトム２００が帯状体３６に押され、前記支持力調節手段の引張コイルバネ２１６が伸びてワイヤ２０８がワイヤ固定具２１８から送り出される。
【００２４】
背ボトム１４の傾斜角度がさらに大きくなると、患者の上半身は座る体位となるので、帯状体３６に加わる体荷重が減り、弾性体３８が伸びた状態から元に縮まる状態になっていく。すると、これと同期してワイヤ２０８が引っ張られ、ワイヤ滑り止め具２１４がワイヤ止め具２１２に当たり、ワイヤ２０８の送り出しが停止される。これにより、受けボトム２００にテンションが加わり、帯状体３６の膨らみを受けボトム２００が減少させ、弾性体３８の復元力を増加させ、患者が背を伸ばして楽に座った姿勢を保つことができる。
【００２５】
この場合、ワイヤ２０８のテンションは、患者の体格に応じて前記ワイヤ長さ調節具２２０で予め調節しておくことができる。すなわち、ワイヤ２０８の長さをワイヤ長さ調節具２２０で短くすると、受けボトム２００のテンションが強くなり、帯状体３６の膨らみが小さくなる。ワイヤ２０８の長さをワイヤ長さ調節具２２０で長くすると、受けボトム２００のテンションが弱くなり、帯状体３６の膨らみが大きくなる。したがって、使用者の体格に合わせてワイヤ２０８の長さを調節し、受けボトム２００のテンションの強弱を変えることで、患者が楽に座った姿勢を保つことができる。
【００２６】
以上のように、本例の介護支援ベッドは、電動による背上げ動作において、背ボトムの傾斜角度が水平状態から１０度、２０度、３０度、４０度と進行する段階で、患者の背中は湾曲して背ボトムの背上げ部材に若干沈みつつ、背ボトムに支えられた状態で背上げ動作が進む。背ボトムの傾斜角度が５０度、６０度と進行すると、背上げ部材にかかる体荷重が減少するので、患者の背中の湾曲が伸びて正常体位となる。したがって、本例の介護支援ベッドによれば、患者の身体に圧迫がかからない楽な電動背上げ動作を行うことができる。
【００２７】
なお、本発明において、背上げ部材の引張応力を調節する引張応力調節手段、受けボトムによる背上げ部材の支持力を調節する支持力調節手段は前述した例に限定されるものではなく、その他の適宜構成とすることができる。また、各ボトムの電動動作機構にも限定はなく、公知の適宜機構を採用することができる。
【図面の簡単な説明】
【００２８】
【図１】本発明の一実施形態に係る介護支援ベッドを示す概略平面図である。
【図２】図１のベッドの概略側面図である。
【図３】図１のベッドの回転自在の固定具を示す図である。
【図４】図１のベッドの屈折自在の接続具を示す図である。
【図５】図１のベッドの一部省略側面図である。
【図６】図１のベッドの背ボトムを示す正面図である。
【図７】図１のベッドの引張強度調節具を示す図である。
【図８】図１のベッドの背ボトムおよび受けボトムを示す側面図である。
【図９】図１のベッドの背ボトムおよび受けボトムを示す背面図である。
【符号の説明】
【００２９】
１４  背ボトム
２２  フレーム
２４  内側縦バー
２６  内側縦バー
３４  背上げ部材
３６  帯状体
３８  弾性体
４０  支持棒
４２  引張強度調節具
２００  受けボトム
【図１】
0004614695.tif 000002
【図２】
0004614695.tif 000003
【図３】
0004614695.tif 000004
【図４】
0004614695.tif 000005
【図５】
0004614695.tif 000006
【図６】
0004614695.tif 000007
【図７】
0004614695.tif 000008
【図８】
0004614695.tif 000009
【図９】
0004614695.tif 000010